(57)【特許請求の範囲】
【請求項１】
ロール状の印刷媒体から定尺にカットした券類を走行路に沿って走行させ、発券処理を行う発券機において、券種に応じて前記券類の走行の向きを回転させて変える券類回転部を前記走行路に備え、前記券類回転部は、前記券類の走行ガイド面としてのフレームと、回転する券類の回転軌跡を妨げないように前記フレームに設けられた逃げ部と、前記券類を回転させない場合に前記走行ガイド面と面一となって前記逃げ部のガイド不連続部分を埋めるガイド部材とを備えたことを特徴とする発券機。
【請求項２】
前記券類回転部は、券類を回転させる場合に前記走行路に突出して券類の先端を突き当てる突き当て部材を設け、前記券類を、前記突き当て部材に突き当て回転させることを特徴とする請求項１記載の発券機。
【請求項３】
前記ガイド部材は、券類の走行方向と直交する方向に移動自在に設けられた請求項１記載の発券機。
【発明の詳細な説明】
【０００１】
【発明の属する技術分野】
本発明は券類、特に鉄道の乗車券を発券する発券機の券ガイド機構に関するものである。
【０００２】
【従来の技術】
従来、券類を発券する発券機には、ロール状の印刷媒体から定尺にカットした券類を走行路に沿って走行させ、発券処理を行うものがある。例えば、鉄道の券類を発券する発券機においては、上位からの発券指示を受けると、フレームに沿ってロール紙が送り出され、印字部にて印字を行い、印字後カッタ部で定尺にカットされ、カットされた券類には、磁気部で磁気記録処理を行い排出部へ搬送される。
【０００３】
定尺にカットされる券類の長さには３０ｍｍ、８ｍｍ、１２０ｍｍの３種類ある。３０ｍｍ券は主に近距離券であり、駅の自動券売機で５発券され、８５ｍｍ券は新幹線の乗車券や指定席券、特急券、長距離券など、駅のみどりの窓口や旅行代理店などで発券され、１２０ｍｍ券は主に新幹線の回数券の表紙や有名なテーマパークの企画券など、駅のみどりの窓口や旅行代理店などで発券される。
【０００４】
３０ｍｍ券は自動改札機の搬送路との関係で短手方向の長さを３０ｍｍにする必要があり、幅３０ｍｍのロール紙に印字を行い、印字後カッタ部で所定の長さ（例えば、６０ｍｍ）にカットし、長手方向に沿って磁気データの書き込みを行っている。
【０００５】
８５ｍｍ券、１２０ｍｍ券は短手方向の長さに相当する幅Ｌｍｍのロール紙に印字を行い、印字後カッタ部でそれぞれ８５ｍｍ、１２０ｍｍにカットし、長手方向に沿って磁気データの書き込みを行っている。
【０００６】
【発明が解決しようとする課題】
従来の発券機にあっては、券種の異なる券類は、定尺にカットされる券類の長さに応じて専用の発券機により発券されているので、券種の異なる券類を同時に購入する場合にはそのたびに専用の発券機を備えたところまで出向いて購入しなければならないという問題があった。
【０００７】
本発明は券種の異なる券類を同一の装置で発券できる発券機を提供することを目的としている。
【０００８】
【課題を解決するための手段】
上記目的を達成するために本発明の発券機においては、券種に応じて券類の走行の向きを回転させて変える券類回転部を走行路に備える。
【０００９】
【発明の実施の形態】
本発明の実施の形態について図面を参照しながら説明する。尚、各図面に共通な要素には同一符号を付す。
【００１０】
第１の実施の形態
図１は本発明に係る券類回転部の正面図、図２は図１に示した券類回転部の平面図、図３は第１の実施の形態による装置全体図、図４は図２に示した平面図のＡ−Ａ断面矢視図、図５はガイド部材の外観斜視図、図６はガイド部材の動作説明図である。
【００１１】
発券機１は、図３に示すように、券類の走行路２に直交する走行ガイド面３となるフレーム４に沿ってロール紙給紙部５、印字部６、カッタ部７、券類回転部８、磁気部９、排出部１０を備えている。
【００１２】
ロール紙給紙部５には幅Ｌ（例えば６０ｍｍ）のロール紙がセットされている。ロール紙は９０度回転しても磁気データの書き込み処理、読み出し処理ができるように磁気処理されている。
【００１３】
３０ｍｍ券を発券する場合には、印刷後、幅Ｌのロール紙をカッタ部７で３０ｍｍにカットする。カットされた券紙は短手である３０ｍｍの辺を走行ガイド面３に当接して走行するが、自動改札機では長手であるロール紙幅方向の辺に沿って磁気データの処理を行っているので、カット後、券類回転部８で９０度回転させてから磁気部９で磁気データの書き込み処理、読み出し処理を行う。
【００１４】
８５ｍｍ券、１２０ｍｍ券を発券する場合には、印刷後、幅Ｌのロール紙を長手方向の長さに相当する８５ｍｍ、１２０ｍｍにカットし、回転させずに長手方向に沿って磁気データの書き込み処理、読み出し処理を行う。
【００１５】
券類回転部８には、図１，２に示すように、走行ガイド面３と面一なガイド面１１ａを有するＬ状のフレーム１１が配置されてあり、ガイド面１１ａに立設したスタッド１２、１２にプーリ１３、１３が回転自在に設けてあり、定尺にカットされた券類１４を挟み搬送させる搬送用の平ベルト１５がプーリ１３、１３に巻き掛けてある。
【００１６】
同様に、ガイド面１１ａに立設したスタッド１６、１７にプーリ１８、１９が回転自在に設けてあり、券類１４を挟み搬送させる搬送用の平ベルト２０がプーリ１８、１９に巻き掛けてある。
【００１７】
スタッド１６にはプーリ１８に隣接してローラ２１が回転自在に設けてあり、ローラ２１のローラ面と券類１４の走行路２とが合致する位置にある。また、スタッド１７にはフレーム１１を挟んでプーリ１９と同軸にプーリ２２がフレーム１１の裏面側に固着してあり、図示せぬ駆動源にベルト掛けされてある。
【００１８】
また、フレーム１１の裏面側には並行した腕を有するコ状の第１のブラケット２３が固着してあり、腕に軸支された支軸２４を介して第２のブラケット２５が矢印Ｂ―Ｃ方向へ回動自在に設けてある。第２のブラケット２５は一端部を支軸２４に軸支され、フレーム１１に設けた逃げ部２６を貫通して他端部をフレーム１１のガイド面１１ａ側に突出させている。
【００１９】
第２のブラケット２５の他端部にはスタッド２７が固着してあり、券類１４を回転させる際に券類１４の先端を突き当てる突き当て部２９ａとガイド面２９ｂを有する突き当て部材２９がスタッド２７に回転自在に設けてある。突き当て部材２９は図示せぬスプリングの付勢力により矢印Ｄ方向に付勢されて突起部２９ｃを第２のブラケット２５に設けた角穴３０の縁３０ａに当接させており、この位置でガイド面２９ａが走行路２と並行となっている。
【００２０】
第２のブラケット２５は、図４に示すように、切り起し部３１を有し、切り起し部３１とフレーム１１の裏面側に固着されたプランジャ３４のコア３５とがリンク３６を介して連結されている。プランジャ３４には通電により吸引されたコア３５をリセットする圧縮スプリング３７が設けてある。
【００２１】
プランジャ３４は通電によりコア３５を吸引して第２のブラケット２５を矢印Ｂ方向に回動させ、図示せぬストッパに第２のブラケット２５を当接させて突き当て部材２９の突き当て部２９ａを、一点鎖線に示すように、券類１４の先端に突き当てる位置に位置決めする。
【００２２】
フレーム１１には、上述したように、逃げ部２６が設けてあり、突き当て部材２９の突き当て部２９ａに突き当てた券類１４の回転軌跡を妨げないようにしてある。フレーム１１の裏面側には、突き当て部２９ａを走行路２上に突出させない場合に逃げ部２６のガイド不連続部分を埋めて券類を案内するガイド部材３９が設けてある。
【００２３】
ガイド部材３９は、図５，図６に示すように、フレーム１１のガイド面１１ａと面一となるガイド面４０ａを有するガイド部４０と、フレーム１１の裏面に当接する当接面４１ａを有する当接部４１と、フレーム１１の裏面側に固着されたガイドブロック４２、４３に券類の走行方向と直交する案内溝４２ａ，４３ａに嵌合する摺動部４４，４５及びフレーム１１の裏面側に固着されたプランジャ４６のコア４７との連結部４８とが一体に設けられている。
【００２４】
ガイド部材３９はガイド面４０ａと当接面４１ａとの間にフレーム１１の厚さに合致する段差を有し、ガイド面４０ａと当接面４１ａとに架けて第２のブラケット２１と干渉させない逃げ穴３９ａが設けてある。
【００２５】
プランジャ４６のコア４７と連結部４８とはリンク４９を介して結合されている。プランジャ４６には通電により吸引されたコア４７をリセットする圧縮スプリング５０が設けてある。
【００２６】
プランジャ４６は通電によりコア４７を吸引してガイド部材３９を矢印Ｆ方向に摺動させ、ガイド部４０の縁４０ｂを逃げ部２６の縁２６ａに突き当てる。このとき、ガイド面４０ａは突き当て部材２９に突き当たって回転する券類１４の回転軌跡を妨げない位置まで下がっており、プランジャ４６への通電を停止すると、圧縮スプリング５０の付勢力により矢印Ｅ方向に付勢され、逃げ部２６のガイド不連続部分を埋める位置にガイド面４０ａを位置付ける。
【００２７】
次に動作について説明する。図示せぬ上位からの発券指示を受けると、ロール紙給紙部５よりロール紙が送り出され、印字部６にて印字を行い、印字後カッタ部７で定尺（例えば鉄道の場合、３０ｍｍ、８５ｍｍ、１２０ｍｍの３種）にカットされる。
【００２８】
カットされた券類１４が８５ｍｍ、１２０ｍｍ券の場合は、プランジャ３４、４６には通電しないので、突き当て部材２９の突き当て部２９ａは走行路２上に突出しておらず、ガイド部４０のガイド面４０ａは逃げ部２６のガイド不連続部分を埋める位置に位置付けられている。
【００２９】
従って、８５ｍｍ、１２０ｍｍ券の場合は、券類回転部８を素通りして磁気部９に向い、磁気部９で磁気記録処理を行い排出部１０へ搬送される。
【００３０】
カットされた券類１４が３０ｍｍ券の場合は、プランジャ３４、４６に通電されるので、図４及び図６に示すように、第２のブラケット２５は図示せぬストッパに当接するまで矢印Ｂ方向に回動して突き当て部材２９の突き当て部２９ａを券類１４の先端に突き当てる位置に位置決めし、ガイド部４０は縁４０ｂを逃げ部２６の縁２６ａに突き当てるまで矢印Ｆ方向に移動し、突き当て部２９ａに突き当たって回転する券類１４の回転軌跡を妨げない位置にガイド面４０ａを位置付けている。
【００３１】
従って、３０ｍｍ券の場合は、進行方向の左先端を突き当て部材２９の突き当て部２９ａに突き当て、突き当て部２９ａを中心に反時計回りに回転する。このときフレーム１１に設けてある逃げ部２６には券類１４の回転を妨げるものはないので、券類１４はフレーム１１の裏側まで入り込んで回転する。
【００３２】
３０ｍｍ券は突き当て部２９ａに突き当てた縁が、突き当て部材２９のガイド面２９ａに当接したところ（９０度回転）で回転を停止し、磁気部９に向かって搬送され、磁気部９で磁気記録処理を行い排出部１０へ搬送される。
【００３３】
第１の実施の形態によれば、ガイド面が不連続になる逃げ部の部分の間に上下移動自在なガイド部材を設け、発券する券種に対応してガイド部材を移動させ、回転を必要としない券類を発券する際にはガイド部材を逃げ部のガイド不連続部分を埋める位置に位置付けるようにしたことにより、券類の角が逃げ部の縁に当接せず、券の角折れ、ジャムの発生が低減できるといった効果が得られる。
【００３４】
第２の実施の形態
図７は第２の実施の形態によるガイド部材の平面図、図８は図７に示した平面図のＡ−Ａ矢視図、図９はガイド部材の外観斜視図である。第１の実施の形態においてガイド部材のガイド面は、券類の走行方向と直交する方向に移動自在に設けられたが、第２の実施の形態においては、逃げ部に挿抜自在に設ける。
【００３５】
即ち、ガイド部材６０は、フレーム１１のガイド面１１ａと面一になるガイド面６１とフレーム１１の裏面に当接する当接面６２とを有する本体部６０と、図７に示した支軸６３に嵌合する嵌合穴６４とプランジャ６５に連結される連結穴６６とを有する腕部６７とからなる。
【００３６】
ガイド面６１と当接面６２との段差Ｈはフレーム１１の厚さ分と合致する。フレーム１１の裏面にはコ状のブラケット６８が固着してあり、支軸６３を介してガイド部材６０の腕６７と連結されている。プランジャ６５とガイド部材６０の腕６７とはリンク６９を介して連結されている。
【００３７】
次に動作について説明する。図示せぬ上位からの発券指示を受けると、ロール紙給紙部５よりロール紙が送り出され、印字部６にて印字を行い、印字後カッタ部７で定尺（例えば鉄道の場合、３０ｍｍ、８５ｍｍ、１２０ｍｍの３種）にカットされる。
【００３８】
カットされた券類１４が８５ｍｍ、１２０ｍｍ券の場合は、プランジャ３４、６５には通電しないので、突き当て部材２９の突き当て部２９ａは走行路２上に突出しておらず、ガイド部６０のガイド面６１は逃げ部２６に挿入されて逃げ部２６のガイド不連続部分を埋める位置に位置付けられている。
【００３９】
従って、８５ｍｍ、１２０ｍｍ券の場合は、券類回転部８を素通りして磁気部９に向い、磁気部９で磁気記録処理を行い排出部１０へ搬送される。
【００４０】
カットされた券類１４が３０ｍｍ券の場合は、プランジャ３４、６５に通電され、第２のブラケット２５は図示せぬストッパに当接するまで矢印Ｂ方向に回動して突き当て部材２９の突き当て部２９ａを券類１４の先端に突き当てる位置に位置決めし、ガイド部６０は矢印Ｊ方向に回動してガイド面６１を逃げ部２６から離し、突き当て部２９ａに突き当たって回転する券類１４の回転軌跡を妨げない位置にガイド面６１を位置付けている。
【００４１】
従って、３０ｍｍ券は券類回転部８に走行してくると、進行方向の左先端を突き当て部材２９の突き当て部２９ａに突き当て、突き当て部２９ａを中心に反時計回りに回転する。このときフレーム１１に設けてある逃げ部２６には券類の回転を妨げるものはないので、券類１４はフレーム１１の裏側まで入り込んで回転する。
【００４２】
３０ｍｍ券は突き当て部２９ａに突き当てた縁が、突き当て部材２９のガイド面２９ｂに当接したところ（９０度回転）で回転を停止し、磁気部９に向かって走行し、磁気部９で磁気記録処理を行い排出部１０へ搬送される。
【００４３】
尚、本実施の形態では、ガイド部材６０をプランジャ６５の吸引力で回動するようにしたが、図１０に示すように、支軸６３を介して端部がそれぞれガイド部材６０の本体部６１とフレーム１１の裏側とに当接するトーションスプリング７０を設けて、通常はトーションスプリング７０の付勢力によりガイド部６０のガイド面６１を逃げ部２６のガイド不連続部分を埋める位置に位置付け、券類１４が回転する際には券類自身によりガイド部６０を回動させるようにしてもよい。この場合、プランジャが不要になるので、部品点数を減らせるという効果がある。
【００４４】
第２の実施の形態によれば、ガイド面が不連続になる逃げ部の部分の間に回動自在なガイド部材を設け、発券する券種に対応してガイド部材を回動させ、回転を必要としない券類を発券する際にはガイド部材を逃げ部のガイド不連続部分を埋める位置に位置付けるようにしたことにより、券類の角が逃げ部の縁に当接せず、券の角折れ、ジャムの発生が低減できるといった効果が得られる。
【００４５】
尚、第１及び第２の実施の形態では鉄道の券について説明したが、本発明は回転する券類と回転しない券類とを同一装置で走行させる装置全てに適用できる。
【００４６】
【発明の効果】
本発明は、以上説明したように構成されているので以下に記載される効果を奏する。
【００４７】
券種に応じて券類の走行の向きを回転させて変える券類回転部を走行路に備えたことにより、同一の券紙を用いて券種の異なる券類を同一装置で発券することができる。
【００４８】
同一の券紙を用いているので、券紙の管理が容易になる。
【図面の簡単な説明】
【図１】本発明に係る券類回転部の正面図である。
【図２】図１に示した券類回転部の平面図である。
【図３】第１の実施の形態による装置全体図である。
【図４】図２に示した平面図のＡ−Ａ断面矢視図である。
【図５】ガイド部材の外観斜視図である。
【図６】ガイド部材の動作説明図である。
【図７】第２の実施の形態によるガイド部材の平面図である。
【図８】図７に示した平面図のＡ−Ａ矢視図である。
【図９】ガイド部材の外観斜視図である。
【図１０】ガイド部材の変形例を示す平面図である。
【符号の説明】
１  発券機
８  券類回転部
２６  逃げ部
２９  突き当て部材
２９ａ  突き当て部
３９、６０  ガイド部材
【図１】
0004731045.tif 000002
【図２】
0004731045.tif 000003
【図３】
0004731045.tif 000004
【図４】
0004731045.tif 000005
【図５】
0004731045.tif 000006
【図６】
0004731045.tif 000007
【図７】
0004731045.tif 000008
【図８】
0004731045.tif 000009
【図９】
0004731045.tif 000010
【図１０】
0004731045.tif 000011